(57)【要約】【課題】  搬送羽根を回転軸から浮かせた状態で配置するとともに、搬送羽根の少なくとも一方の端部のみを回転軸に固定することによって、現像剤の搬送中に搬送羽根が軸芯方向に振動することを利用し、現像剤の流動性が低下した場合でも、搬送羽根の搬送性が低下することを未然に解消し、現像剤のブロッキング現象等の不具合を解消する。【解決手段】  回転軸９４とこの回転軸９４に遊嵌される螺旋状に形成された搬送羽根９５とからなり、搬送羽根９５の一方の端部９５ａ，９５ｂのみまたは両端部のみが回転軸９４に固定され、かつ、回転軸９４と搬送羽根９４との間に空隙が設けられている。これにより、回転軸９４の回転及び搬送する廃現像剤によって、搬送羽根９４を回転軸９４の軸芯方向に振動させる。【選択図】  図３
2005250395.tif 000002
【特許請求の範囲】
【請求項１】
粉体を搬送する搬送スクリューにおいて、
前記搬送スクリューが、回転軸とこの回転軸に遊嵌される螺旋状に形成された搬送羽根とからなり、前記搬送羽根が、前記回転軸の回転及び搬送する前記粉体によって前記回転軸の軸芯方向に振動可能に設けられていることを特徴とする搬送スクリュー。
【請求項２】
前記搬送羽根は、一方の端部のみまたは両端部のみが前記回転軸に固定されていることを特徴とする請求項１に記載の搬送スクリュー。
【請求項３】
前記回転軸と前記搬送羽根との間に空隙が設けられていることを特徴とする請求項１または請求項２に記載の搬送スクリュー。
【請求項４】
前記請求項１ないし請求項３のいずれかに記載の搬送スクリューを用いたことを特徴とする現像剤搬送機構。
【請求項５】
前記粉体が画像形成装置の現像剤または廃現像剤であることを特徴とする請求項４に記載の現像剤搬送機構。
【発明の詳細な説明】
【技術分野】
【０００１】
本発明は、粉体を搬送する搬送スクリューに係り、より詳細には、画像形成装置に用いられる現像剤の搬送・回収機構で用いられる搬送スクリューに関する。
【背景技術】
【０００２】
現像剤の搬送・回収機構で用いられる従来の搬送スクリューは、図６（ａ）に示すように、回転軸１０１に対し搬送羽根１０２の全体が完全に固定された構造となっている。
【０００３】
このような搬送スクリューで現像剤を搬送するとき、その搬送性能は現像剤の流動性に左右される。現像剤は、通常単体としては流動性の良いものであるが、環境変化、特に高湿状態では各現像剤が各々空気中の水分を吸収・膨張して、流動性が低下する。このことは、現像剤収納容器で高温高湿の履歴を経た現像剤は、１粒ずつの単体ではなく、複数個の塊として補給されることからも明らかであり、このように複数個の塊となった現像剤の流動性は低下している。
【０００４】
また、静電潜像担持体上に顕像化された画像情報（現像剤で顕像化する。）は用紙に転写されるが、静電潜像担持体上には転写残りの残留現像剤（廃現像剤）が存在することとなる。この残留現像剤を静電潜像担持体から除去するためにクリーニングユニットが配置されるが、クリーニングユニットで静電潜像担持体から除去されるのは上記残留現像剤だけでなく、転写工程に搬送される用紙表面に付着するゴミ、用紙を構成する短繊維（主にセルロース繊維）、用紙に含まれる増量剤（ＳｉＯ2等々）などもクリーニングされる。このように廃現像剤に不純物が混入するとゴミ、短繊維が絡み合い廃現像剤の流動性が低下する。
【０００５】
上記のように流動性が低下した廃現像剤を搬送するとき、回転軸１０１に軸支された搬送羽根１０２は搬送する廃現像剤が増加してくると、その重量によって回転負荷を受け、回転時に搬送羽根１０２と現像剤収納ユニット１０５の側壁面１０５ａとの間で発熱現象が生じる。発熱現象が生じると、廃現像剤は軟化し、搬送羽根１０１や現像剤収納ユニット１０５の側壁面１０５ａに付着して、搬送性能の低下を将来する。このような状態が継続すると、搬送スクリュー周辺に廃現像剤が堆積し、“ブロッキング現象”、もしくは搬送スクリューの詰まりが生じることとなる。
【０００６】
このようなブロッキング現象が発生する様子を、図６（ｂ）〜（ｅ）に示す従来の搬送スクリューの概略断面図を用いて説明する。
【０００７】
図６（ｂ）は、装置が設置、もしくはメンテナンスが終了した直後のクリーニングユニットにおける搬送スクリューの状態を図示している。
【０００８】
廃現像剤（図中に網かけを付して示している）１０３ａは搬送スクリューの回転軸１０１の回転と搬送羽根１０２の傾きによって、現像剤収納ユニット１０５の底部１０５ａに堆積した状態で図示しない回収容器の方向（図中、矢符Ａ方向）に搬送される。そのような状態が継続すると（装置の印字処理枚数が増加すると）、現像剤収納ユニット１０５内は図６（ｃ）に示すように廃現像剤１０３ａが徐々に増加し、最後には図６（ｄ）に示すように廃現像剤１０３ａが満杯状態となる。
【０００９】
このように、現像剤収納ユニット１０５内の廃現像剤１０３ａが増加すると、上記したように現像剤以外の不純物（ゴミ、短繊維、増量剤等々）が廃現像剤１０３ａの流動性を低下する。流動性の低下した廃現像剤１０３ａは、搬送スクリューの回転負荷となると共に、回転軸１０１や搬送羽根１０２に付着し、回転負荷の増大をさらに増すこととなる。
【００１０】
このように回転負荷が増大すると、流動性の悪い廃現像剤１０３ａは矢符Ａ方向へは搬送されず、定位置で回転することとなり、現像剤収納ユニット１０５の側壁等と擦られることで温度上昇をきたす。この温度上昇によって廃現像剤１０３ａは塊化し、ブロッキング現象が発生する。図６（ｅ）は、このようにして現像剤収納ユニット１０５内でブロッキング現象が発生した状態を示しており、回転する搬送スクリューは回転トルクが大きいときは、図示するように搬送羽根１０２の部分に廃現像剤１０３ａがなく、搬送羽根１０２の周辺部に塊化した廃現像剤１０３ａが堆積した状態となる。一方、搬送スクリューの回転トルクが小さいときは、搬送スクリューが回転せず、駆動源と連結する連結ギアが破損することになる。
【００１１】
上記の現象は、装置が高温高湿時に顕著に発生する。すなわち、空気中の湿度によって廃現像剤は膨潤し、上記不具合を促進することとなる。本発明者らは実際に実験を行った結果、メンテナンス終了後１５，０００枚の印字を経過した時点で、搬送スクリューの状態が上部からは見えず、廃現像剤がブロッキング現象（図６（ｅ）に示す状態）を起こしていることを確認した。
【００１２】
このようなブロッキング現象や搬送スクリューの詰まり現象の発生を防止するため、搬送スクリューの回転軸の中心軸と搬送羽根の中心軸を異ならせ、スクリューの回転中に搬送羽根を偏芯回転させることで現像剤の搬送を行う手法が提案されている（例えば、特許文献１参照）。
【特許文献１】特開２００２−１０８１６０号公報
【発明の開示】
【発明が解決しようとする課題】
【００１３】
搬送スクリューが現像剤等の粉体を搬送するメカニズムは、現像剤収納ユニットの壁面等に堆積する粉体をスクリューの外周端部及びスクリューの傾斜によって持ち上げること、及び搬送スクリューが回転することで、粉体の搬送を行うものである。
【００１４】
しかし、上記特許文献1に記載された手法では、搬送スクリューを偏芯させることによって新たな問題が発生する。すなわち、回転によってスクリューが偏芯するため、現像剤収納ユニットの壁面等に堆積する粉体（現像剤）を持ち上げる力が低減し（すなわち、偏芯することで壁面に近接するときと離間するときが生じるため）、搬送能力の低下を将来するといった問題があった。
【００１５】
本発明は係る問題点を解決すべく創案されたもので、その目的は、搬送羽根を回転軸から浮かせた状態で配置するとともに、搬送羽根の一方の端部のみまたは両端部のみを回転軸に固定することによって、現像剤の搬送中に搬送羽根が軸芯方向に振動することを利用することで、現像剤の流動性が低下した場合でも、搬送羽根の搬送性が低下することを未然に解消し、現像剤のブロッキング現象等の不具合を解消し、搬送不良から生じる印字品位の低下、装置（各ユニット）の破損等の不具合の発生を解消した搬送スクリュー及び現像剤搬送機構を提供することにある。
【課題を解決するための手段】
【００１６】
本発明の搬送スクリューは、粉体を搬送する搬送スクリューであって、前記搬送スクリューが、回転軸とこの回転軸に遊嵌される螺旋状に形成された搬送羽根とからなり、前記搬送羽根が、前記回転軸の回転及び搬送する前記粉体によって前記回転軸の軸芯方向に振動可能に設けられていることを特徴としている。この場合、前記搬送羽根は、一方の端部のみまたは両端部のみが前記回転軸に固定されており、回転軸と同行回転するようになっている。すなわち、搬送羽根の両端部以外の部分は回転軸に固定されない構造となっている。また、搬送羽根の軸芯方向への振動がよりスムーズに行われるようにするために、前記回転軸と前記搬送羽根との間に空隙が設けられている。
【００１７】
本発明によれば、搬送スクリューの回転と粉体である廃現像剤が搬送される力とによって搬送羽根が軸芯方向に微妙に振動し、この振動によって搬送羽根への廃現像剤の付着が防止されることになる。つまり、廃現像剤は、流動性が低下していても定位置で回転せず、回収容器の方に搬送されるため、ブロッキング現象は発生しない。
【００１８】
このような本発明の搬送スクリューは、粉体として画像形成装置の現像剤や廃現像剤を搬送する現像剤搬送機構や現像剤回収機構などに好適に用いられる。
【００１９】
因みに、円筒状の搬送路内にその内壁面に接する径のコイルスプリングを配置し、このコイルスプリングを高速回転させることで粉体を搬送する技術が従来から実施されているが、この技術は、搬送路及び搬送する粉体を収納する収納容器が密閉されていることが条件となる。従って、感光体ドラムに付着した廃現像剤を回収するために、上部が開放されているような構造の例えばクリーニングユニット等には全く適用できない技術である。
【発明の効果】
【００２０】
本発明の搬送スクリュー及び現像剤搬送機構によれば、回転軸に対し搬送羽根を固定せず、空隙を持たせた状態で軸芯方向に振動可能に設けたので、搬送羽根が回転軸と共に回転することによる振動を有効に利用でき、廃現像剤の固着から生じるブロッキング現象を解消することができる。ブロッキング現象を解消することは、画像形成装置全体から見たとき、感光体の汚れを未然に解消でき、感光体のロングライフ化、印字品位の向上が図れるばかりでなく、駆動源の省電力化も可能となる。
【発明を実施するための最良の形態】
【００２１】
以下に、本発明の実施形態に係る現像剤収納手段を備えた画像形成装置について図面を参照し詳細に説明する。
【００２２】
−画像形成装置全体の説明−
図１は画像形成装置の全体構成図である。
【００２３】
本実施形態の画像形成装置１は、プリンタ部（画像形成部）２と、このプリンタ部２の下に配置された給紙ユニット部３とを備えている。そして、プリンタ部２の略中央の位置に、感光体ドラム４を中心とする電子写真プロセス部が配置されている。すなわち、感光体ドラム４を中心としてその周囲に、帯電ユニット５と、光走査ユニット６と、現像ユニット７と、転写ユニット８と、クリーニングユニット９とが配置されている。
【００２４】
帯電ユニット５は、感光体ドラム４の表面を均一に帯電させるものであり、光走査ユニット６は、均一に帯電された感光体ドラム４上に光像を走査して静電潜像を書き込むものである。現像ユニット７は、光走査ユニット６により書き込まれた静電潜像を現像剤により顕像化するものであり、転写ユニット８は、感光体ドラム４上に記録再現された画像を記録媒体上に転写するものである。
【００２５】
クリーニングユニット９は、感光体ドラム４上に残留した現像剤（トナー）を除去して、感光体ドラム４上に新たな画像を記録することができるようにするものであり、このクリーニングユニット９により除去された残留トナーは、現像ユニット７のトナー供給部１０に装着された図示しない回収容器に回収され、後に廃棄される。
【００２６】
給紙ユニット部３は、複数の給紙トレイ（記録媒体供給部）１１，１２，１３，１４を備えており、給紙ユニット部３は、記録媒体としての多彩な用紙を例えばサイズ毎に分別して収容することができる。
【００２７】
そして、画像形成装置１は、これらの給紙トレイ１１，１２，１３，１４の中から１つのトレイを選択し、この選択されたトレイから用紙を１枚ずつ分離し、感光体ドラム４と転写ユニット８との間に供給する。転写ユニット８は、供給された用紙に、感光体ドラム４上に記録再現された画像を転写する。
【００２８】
給紙トレイ（第１の記録媒体供給部）１１と給紙トレイ（第２の記録媒体供給部）１２とは、互いに並列配置されている。そして、給紙トレイ１１及び給紙トレイ１２の下側に、給紙トレイ１３が配置されており、さらに給紙トレイ１３の下側に給紙トレイ１４が配置されている。
【００２９】
また、給紙トレイ１３及び給紙トレイ１４の容量は、同程度の容量とされており、給紙トレイ１１及び給紙トレイ１２の容量は、給紙トレイ１３または給紙トレイ１４の容量よりも大きく設定されている。
【００３０】
給紙ユニット部３は、給紙トレイ１１，１２，１３，１４に収容された用紙をプリンタ部２に向かって搬送するために、第１搬送経路１５と第２搬送経路１６とを備えている。なお、第１搬送経路１５は、給紙トレイ１１，１２，１３，１４に収容された用紙をプリンタ部２に向かって搬送するものであり、第２搬送経路１６は、給紙トレイ１２に収容された用紙をプリンタ部２に向かって搬送するものである。
【００３１】
また、第１搬送経路１５は、給紙ユニット部３のフレーム１７に沿って鉛直方向に延びており、一方、第２搬送経路１６は、フレーム１７に沿って水平方向に延びている。
【００３２】
従って、給紙ユニット部３の内部では、給紙トレイ１１〜１４と、第１搬送経路１５と、第２搬送経路１６とが効率よく配置されており、給紙ユニット部３の省スペース化が実現されている。
【００３３】
なお、各給紙トレイ１１，１２，１３，１４に用紙をセットする場合は、画像形成装置１本体の前面側方向に目的の給紙トレイ１１，１２，１３，１４を引き出して用紙の補給を行う。
【００３４】
ところで、第１搬送経路１５中にて用紙が詰まった場合は、第１搬送経路１５を構成するガイド１５ａ（図中斜線部で示す）を、給紙ユニット部３の奥側を支点としてユーザーの手前側に回動する。これにより、第１搬送経路１５中で詰まった用紙を取り除くことができる。なお、この除去操作は、第１搬送経路１５とフレーム１７との間に予め確保されている作業空間を用いて行う。
【００３５】
また、第２搬送経路１６中にて用紙が詰まった場合も、第２搬送経路１６を構成するガイド１６ａ（図中斜線部で示す）を、給紙ユニット部３の奥側を支点として手前側に回動する。これにより、第２搬送経路１６中で詰まった用紙を取り除くことができる。なお、この除去操作は、並列配置された給紙トレイ１１及び給紙トレイ１２をユーザーの手前側に引き出すことにより、第２搬送経路１６の下方に作業空間を確保した上で行うこととなる。
【００３６】
なお、本実施形態の画像形成装置１では、給紙トレイ１１，１２を同時に引き出すことができる構成としているが、必ずしもこの構成に限定されるものではなく、それぞれの給紙トレイを独立して引き出せる構成としてもよい。この場合、給紙トレイ１１を手前側に引き出すことにより、第２搬送経路１６中に詰まった用紙を取り除くための作業空間を、第２搬送経路１６の下方に確保すればよい。
【００３７】
第２搬送経路１６の下流側には、比較的少量の用紙がセットされる手差し給紙ユニット１８を設けている。この手差し給紙ユニット１８には、一般的に特殊な用紙がセットされる可能性が高い。これは、手差し給紙ユニット１８に対して手軽に用紙の交換あるいはセットができるからである。手差し給紙ユニット１８からは第３搬送路２１を介して第２搬送路１６に用紙を供給できるようになっている。
【００３８】
また、給紙ユニット部３の右側に、オプション装置として給紙ユニット２０を連結することができるようになっている。この給紙ユニット２０は、その他の給紙トレイ１１〜１４に比べて、大きな容量に設定される。この場合には、給紙ユニット２０から給紙された用紙は、第４搬送経路１９から第２搬送経路１６を経てプリンタ部２へと導かれるようになっている。
【００３９】
−本発明に係わるクリーニングユニットの説明−
次に、静電潜像担持体である感光体ドラム４上の残留現像剤のクリーニングを行うクリーニングユニットについて説明する。
【００４０】
図２は、クリーニングユニットの配置を説明する図である。
【００４１】
感光体ドラム４上に現像剤によって可視化された画像情報は、搬送されてきた用紙上に転写ローラ８ａ等を含む転写ユニット８から与えられる電界によって転写される。このとき、感光体ドラム４上の現像剤は１００％の転写が行われることはなく、通常、転写ローラ８ａの場合には９０〜９５％、転写チャージャーの場合には８５〜９０％の転写効率と言われている。
【００４２】
このようにして転写された用紙上の現像剤は用紙が剥離爪４ａによって感光体ドラム４から剥離された後にペーパーガイド板４ｂ上を搬送され、次工程（定着機構）を経て排出される。
【００４３】
一方、感光体ドラム４上に残留した現像剤は、次の印字工程では不要な現像剤となるため、感光体ドラム４上に配置される主帯電工程までの間で、清掃される。この清掃工程として配置されるのがクリーニングユニット９である。
【００４４】
クリーニングユニット９は、感光体ドラム４上の残留現像剤をメカ的に除去するクリーニングブレード（感光体表面の感光層を傷つけないためゴム材質が用いられる。）９２、クリーニングされた廃現像剤を図示しない回収容器に搬送する搬送スクリュー９３、及びそれらを収納するユニット本体９１で構成されている。
【００４５】
回収される廃現像剤は上記現像剤だけでなく、用紙上に付着しているゴミ、用紙に含まれる短繊維（主にセルロース）、及びＳｉＯ2等の増量剤などが含まれている。
【００４６】
図３は本発明の要部である搬送スクリュー９３をクリーニングユニット９に組み込んだ状態を示す模式図であり、図４は搬送スクリュー９３の一部拡大断面図である。
【００４７】
背景技術でも説明したように、従来の搬送スクリューを構成する複数の搬送羽根は回転軸に空隙の無い状態でその全体が軸固定されており、回転軸が回転することにより、搬送羽根の傾きと回転方向とによって廃現像剤を回収容器の方向に搬送するようになっている。
【００４８】
これに対し、本発明の搬送スクリュー９３は、回転軸９４と、この回転軸９４に遊嵌される螺旋状に一体形成された搬送羽根９５とからなり、この搬送羽根９５を、回転軸９４の回転及び搬送される廃現像剤によって回転軸９４の軸芯方向（図３中、矢符Ｘ１，Ｘ２で示す方向）に振動可能に設けたものである。従って、本実施形態では、搬送羽根９５はある程度の弾性を有する金属材料によって形成されている。
【００４９】
また、図４に示すように、回転軸９４に対し搬送羽根９５が浮いた状態、すなわち、回転軸９４と搬送羽根９５との間に空隙Ｐを設けている。また、このように一体形成された搬送羽根９５の回転軸９４への固定は、廃現像剤の搬送方向（図３中、矢符Ｘ１方向）に対し、その上流側の一端部９５ａまたは下流側の一端部９５ｂの少なくともいずれか一方の端部のみを溶接等によって回転軸９４に固定する構造としている。ただし、一方の端部のみを固定する場合には、下流側の端部９５ｂより上流側の端部９５ａを固定することが望ましい。このように、搬送羽根９５の端部のみを回転軸９４に固定することで、回転軸９４の回転及び搬送される廃現像剤により、搬送羽根９５が回転軸９４の軸芯方向（矢符Ｘ１，Ｘ２方向）に振動可能となる。
【００５０】
次に、上記構成の搬送スクリュー９３による廃現像剤の搬送の様子について、図５（ａ）〜（ｃ）に示す搬送スクリューの概略断面図を用いて説明する。
【００５１】
図５（ａ）は、装置が設置、もしくはメンテナンスが終了した直後のクリーニングユニット９のユニット本体９１と搬送スクリュー９３の状態を示している。
【００５２】
廃現像剤（図中に網かけを付して示している）９６は、搬送スクリュー９３の回転軸９４の回転と搬送羽根９５の傾きとによって、ユニット本体９１の底部９１ａに堆積した状態で、図示しいな回収容器の方向（図中、矢符Ｘ１方向）に搬送される。このとき、本発明の搬送羽根９５は、搬送スクリュー９３の回転と廃現像剤９６が搬送される力とによって、図示するように微妙に振動し、搬送羽根９５等への廃現像剤９６の付着が防止される。その結果、ユニット本体９１内の廃現像剤９６は、その高さレベルが略均一となる。図５（ｂ）はこの状態を示している。
【００５３】
このような状態が継続すると（装置の印字処理枚数が増加すると）、クリーニングユニット９のユニット本体９１内は廃現像剤９６が増加し、現像剤に含まれる不純物（ゴミ、短繊維、増量剤等々）が廃現像剤９６の流動性を低下させる。流動性の低下した廃現像剤９６は、従来の搬送スクリューでは、搬送スクリューの回転負荷を引き起こす原因となるが、本発明では回転軸９４に対し搬送羽根９５が固定されておらず、さらに空隙Ｐを有しているため、回転負荷を低減する搬送羽根９５の振動効果によって廃現像剤９６の搬送が行われ、図５（ｃ）に示すように、常に回転軸９４と略等しい高さに廃現像剤９６の高さがコントロールされた状態で、回収容器に搬送されることとなる。
【００５４】
本発明者らは、上記構成の搬送スクリュー９３を用いて実際に実験を行った。実験では、図４に示す回転軸９４の径ｔ１＝５ｍｍ、搬送羽根９５の内周径ｔ２＝６ｍｍ（すなわち、空隙Ｐ＝０．５ｍｍ）、外周径ｔ３＝１４ｍｍのものを使用した。その結果、メンテナンス終了後２０，０００枚の印字を経過した時点でも、廃現像剤９６は図５（ｃ）に示す状態で搬送されており、ブロッキング現象が全く起こらないことを確認した。
【００５５】
このように、廃現像剤９６の搬送に用いられる搬送スクリュー９３の構成を回転軸９４に対し搬送羽根９５の全体を固定せず、空隙Ｐを持たせた状態で、搬送羽根９５の端部のみを固定することによって、搬送羽根９５が回転することによる振動を有効に利用でき、廃現像剤９６の固着から生じるブロッキング現象を解消することができた。ブロッキング現象を解消することは、画像形成装置全体から見たとき、感光体ドラム４の汚れを未然に解消でき、感光体ドラム４のロングライフ化、印字品位の向上が図れるだけでなく、駆動源の省電力化も可能となる。
【００５６】
おな、上記実施形態では、本発明の搬送スクリューを設ける箇所として、感光体ドラム４上の残留現像剤を回収するクリーニングユニット９を例に挙げて説明しているが、画像形成装置で現像剤を搬送する現像剤補給容器に用いられる搬送スクリューや、現像槽内で現像剤の攪拌、搬送を行う攪拌スクリュー（場合によっては搬送スクリューと呼ぶこともある）等にも利用できることは明らかであり、さらには画像形成装置に限らず、各種粉体を搬送する搬送スクリューに応用可能であることは明白である。
【図面の簡単な説明】
【００５７】
【図１】画像形成装置の全体構成図である。
【図２】クリーニングユニットの配置を説明する図である。
【図３】本発明の要部である搬送スクリューをクリーニングユニットに組み込んだ状態を示す模式図である。
【図４】搬送スクリューの一部拡大断面図である。
【図５】本発明の搬送スクリューによる廃現像剤の搬送の様子を示す概略断面図である。
【図６】従来の搬送スクリューによるブロッキング現象の発生する様子を示す概略断面図である。
【符号の説明】
【００５８】
１  画像形成装置
２  プリンタ部
４  感光体ドラム
８  転写ユニット
９  クリーニングユニット
９１  ユニット本体
９２  クリーニングブレード
９３  搬送スクリュー
９４  回転軸
９５  搬送羽根
９５ａ，９５ｂ  端部
Ｐ  空隙
【図１】
2005250395.tif 000003
【図２】
2005250395.tif 000004
【図３】
2005250395.tif 000005
【図４】
2005250395.tif 000006
【図５】
2005250395.tif 000007
【図６】
2005250395.tif 000008